(57)【特許請求の範囲】
【請求項１】
切削工具のシャンクが差し込まれるシャンクケースが備えられ、切削工具の刃に被せる刃のケースが備えられ、前記刃のケースの下端が前記シャンクケースの上端に重なって結合されるようにした切削工具用保管ケースにおいて、
前記シャンクケースの上部に回転可能に嵌められて外周面に前記刃のケースの下端が入るスリーブが備えられ、
前記スリーブの内周面に形成される内側凸部と、前記シャンクケース上部の外周面に形成される凸部とが周方向に異なる位置に置かれることで、前記シャンクケースと前記刃のケースとを分離可能な、分離状態を呈し、
前記分離状態から、前記刃のケースに対し前記シャンクケースを回転させた際に、前記内側凸部と前記凸部とが周方向に一致することで、前記スリーブが外向きに広がって前記刃のケースを固定し、かつ、前記シャンクケース上部が内向きに狭くなって前記シャンクを固定する、固定状態を呈することを特徴とする、
切削工具用保管ケース。
【請求項２】
前記シャンクケース上部の外周面には、前記凸部が複数個放射状に設けられ、
前記スリーブの内周面には、前記内側凸部が複数個放射状に設けられることを特徴とする請求項１に記載の切削工具用保管ケース。
【請求項３】
前記シャンクケースの上部に前記スリーブが嵌められる延長管が備えられ、前記シャンクは、前記延長管を介して前記シャンクケースに保管され、前記延長管の内周面には、前記シャンクの外周面と接する複数の突起が備えられ、前記延長管の外周面には、前記突起と対応する位置に前記凸部が複数個放射状に設けられることを特徴とする請求項２に記載の切削工具用保管ケース。
【請求項４】
前記スリーブの下端には、複数のストッパーが設けられ、前記シャンクケースの上端には、前記各ストッパーが差し込まれた状態で、前記シャンクケースの回転を可能にするガイド孔が備えられて、前記刃のケースを持って前記シャンクケースを正逆回転させる過程において、前記ガイド孔に対する前記ストッパーの位置によって、前記分離状態と前記固定状態とを切り換え可能とし、
前記各ストッパーには、前記ガイド孔を介して前記シャンクケースの上端にかかって前記スリーブが抜けないようにする係止突起が備えられることを特徴とする請求項１に記載の切削工具用保管ケース。
【請求項５】
前記スリーブの外周面に前記刃のケースの内側角が挟まれる角部が放射状に設けられ、前記分離状態から前記刃のケースに対し前記シャンクケースを回転させた際に、前記角部が広がって前記刃のケースが前記スリーブに固定されることを特徴とする請求項１に記載の切削工具用保管ケース。
【発明の詳細な説明】
【技術分野】
【０００１】
本発明は、切削工具用保管ケースに係るものであって、更に詳細には、切削工具のシャンクが差し込まれるシャンクケースと、切削工具の刃に被せる刃のケースで分離され、前記シャンクケースと前記刃のケースとを分離可能な分離状態から、前記刃のケースに対し前記シャンクケースを回転させた際にシャンクケースと刃のケースが固定される固定状態へと至る過程において、前記シャンクがシャンクケースの内周面に弾性的に固定される切削工具用保管ケースに係るものである。
【背景技術】
【０００２】
一般的に、金属材料を削り出し加工することができる切削工具は、旋盤やミーリングマシン、ドリリングマシーン等に使用されるが、実際に金属を削る役割をする  旋盤のバイト、ミーリングのカッター、ドリリングマシーンのドリルなどを切削工具と言う。特にミーリングに使用されるエンドミルは、金属を削ってなめらかに整える工具であって、底面と側面が刃となっているので、工作物の平面及び側面を加工することができる。
【０００３】
これらの切削工具は、刃が鋭くて衝撃に弱いため、流通中切削工具の損傷や取扱者がけがをすることがあるため保管ケースに入れて流通するが、包装の時、簡単に入れることができなければならない。従来の特許第９３０７３４号は、切削工具が保管されるケース下部とケース上部を一体に射出して製作単価を減らした切削工具ケースを開示している。これはケース下部と２つの開閉部材で構成され、各開閉部材の下端は前記ケース下部と折り畳み可能に連結され、外向突起及び内向突起が形成されて切削工具を開閉する構成である。
【０００４】
しかし、従来特許は、ケース下部の定型化された挿入部に工具の結合部（シャンク）を無理やり差し込んで結合するため、昼夜及び季節に応じた温度差により熱変形が発生し、射出条件の変化に応じて寸法偏差が不均一なので噛み合い程度が一定せず、噛み合い力が強い場合出し入れするのに力が多くかかり、刃を持って工具を引っ張るので指が切れる恐れがあった。
前記結合部（シャンク）は、ケース下部の挿入部に簡単に出し入れすることができなければならないので、１ｋｇ前後の噛み合い力を持つ。しかし、噛み合い力が弱ければ、物流における取り扱いの不注意によってケースが床に落ちたり、他の衝撃で工具の結合部（シャンク）が挿入部から抜け出るので、刃がケース内部に追突して刃の損傷をもたらし、また、工具がケース内部で動くのでケース内部が擦れて美観上よくないなどの問題点があった。
【０００５】
また、従来は、刃のケースとシャンクケースが分離構成された保管ケースが使用されているが、これらの分離型保管ケースもシャンクをシャンクケースに押し入れなければならないので、包装及び分離が難しく、特に簡単に出し入れすることができなければならないことから、噛み合い力を高めるのに限界があるので、保管ケースが床に落ちる場合、シャンクがシャンクケースから抜けて保管ケース内部に追突して刃が損傷され、保管ケース内部が擦れて製品性が低下するなどの問題点があった。
【０００６】
また、シャンクケースが刃のケースから簡単に抜けないように刃のケースの外側の角に複数の係止突起を形成し、刃のケースの内側の角には係止溝を形成して、これらの係止突起と係止溝を介して刃のケースがシャンクケースに結合されるようにしているが、シャンクケースを強く引かなければ係止溝が係止突起から抜けないため、シャンクケースを開放させるときに多くの力が入るので、使用上不便であるなどの欠点があった。
【先行技術文献】
【特許文献】
【０００７】
【特許文献１】韓国特許登録第１０−９３０７３４号公報
【発明の概要】
【発明が解決しようとする課題】
【０００８】
本発明は、従来の問題点を勘案して開発したものであり、本発明の目的は切削工具のシャンクが差し込まれるシャンクケースと切削工具の刃に被せる刃のケースが分離され、前記シャンクケースと前記刃のケースとを分離可能な分離状態から、前記刃のケースに対し前記シャンクケースを回転させた際にシャンクケースと刃のケースが固定される固定状態へと至る過程において、前記シャンクがシャンクケースの内周面に弾性的に固定される切削工具用保管ケースを提供することにある。前記刃のケースが切削工具の刃を緩めに入れて保管するため、刃のケースを出し入れする時に便利で、且つけがをする恐れがなく、シャンクケースを回転させる過程で切削工具のシャンクが弾性的に加圧されるので、常に一定の噛み合いが可能な切削工具用保管ケースを提供することにある。
【０００９】
また、シャンクケースが回転される過程において、偏心された部分が周方向に一致する位置に置かれることで弾性的な噛み合い力が発生し、その力は１０ｋｇ前後であって従来の差し込む方式よりも遥かに高い。従って取り扱いの不注意によって保管ケースを床に落としてもシャンクがシャンクケースに弾性的に強く噛み合われた状態を保持するため、シャンクがシャンクケースから抜けないので、刃の損傷を防ぐことができる切削工具用保管ケースを提供することにある。
【課題を解決するための手段】
【００１０】
本発明は、切削工具のシャンクが差し込まれるシャンクケースが備えられ、切削工具の刃に被せる刃のケースが備えられ、前記刃のケースの下端が前記シャンクケースの上端に重なって結合されるようにした切削工具用保管ケースにおいて、前記シャンクケースの上端に前記シャンクを包む延長管が備えられ、前記延長管に回転可能に嵌められて外周面に前記刃のケースの下端が入るスリーブが備えられ、前記スリーブの内周面に形成される内側凸部と、前記延長管の外周面に形成される凸部とが周方向に異なる位置に置かれることで、前記シャンクケースと前記刃のケースとを分離可能な、分離状態を呈し、前記分離状態から、前記刃のケースに対し前記シャンクケースを回転させた際に、前記内側凸部と前記凸部とが周方向に一致することで、前記スリーブが外向きに広がって前記刃のケースを固定し、かつ、前記シャンクケース上部が内向きに狭くなって前記シャンクを固定する、固定状態を呈する特徴がある。
【発明の効果】
【００１１】
本発明によると、シャンクケースにシャンクを緩めに出し入れしやすく、また、刃のケースをシャンクケースに緩めに出し入れすることができるので、工具を引き出すとき、無理な力を与える必要がないので、安全事故を防ぐことができる。また、シャンクが差し込まれるシャンクケースの上部は、シャンクの外周面を加圧する延長管で構成され、前記延長管の外周面にスリーブが嵌められるが、前記スリーブは刃のケースの内周面が差し込まれる部分である。
【００１２】
前記シャンクケースを回転させる過程において、前記延長管に形成された凸部によってスリーブが広がり、反作用により延長管が狭くなるため、刃のケースとシャンクケースが固定され、またシャンクはシャンクケースの内周面に弾性的に固定される二重作用が起こるので構成が簡単であり、また、シャンクケースは１／４だけ回転させればよいので、迅速な締結が可能であるなどの利点がある。
【００１３】
また、シャンクがシャンクケースに弾性的に固定されるので、強い噛み合いが可能であり、特に取り扱いの不注意によって保管ケースが床に落ちる過程で工具に衝撃が加わる場合においても、工具のシャンクがシャンクケースから抜けないため、刃及び保管ケースの損傷を防ぐことができるので、保管ケースの信頼性が向上するなどの利点がある。
【００１４】
また、前記延長管の凸部はスリーブの内周面に向かって突出され、スリーブの内周面には前記延長管側に突出される内側凸部が対称に形成されて互いに噛み合うので、射出条件や季節及び昼夜の温度差による寸法変化量よりも余裕があるので、強い弾性噛み合いが可能であって、製造上の問題点も解決することができ、従来の定型化された無理やりに差し込む方式の問題点を実質的に改善することができるなどの効果がある。
【図面の簡単な説明】
【００１５】
【図１】本発明の一実施形態の保管ケースの分離斜視図である。
【図２】本発明の一実施形態の保管ケースの組立工程を示す斜視図である。
【図３】本発明の一実施形態の保管ケースのシャンクケースの分離斜視図である。
【図４】本発明の一実施形態の保管ケースの作動状態の断面図である。
【図５】延長管とスリーブの組立断面図である。
【発明を実施するための形態】
【００１６】
図１乃至図５において、本発明の一実施形態の保管ケースは、切削工具４０のシャンク４１が緩めに差し込まれるシャンクケース１０と刃のケース２０で分離構成される。これらのシャンクケース１０と刃のケース２０は、四角柱の形状であって刃のケース２０はシャンクケース１０に差し込まれる下端が開放され、シャンクケース１０は上端に円筒形の延長管１１が備えられる。
【００１７】
前記延長管１１には、円筒形のスリーブ３０が回転可能に嵌められるが、前記スリーブ３０は、複数のストッパー３１が下端に備えられ、前記シャンクケース１０の上端には、前記ストッパー３１が掛けられて回転されるように案内するガイド孔１３が備えられる。
前記ストッパー３１は、刃のケース２０及びシャンクケース１０の開き及び閉め位置を決定するものであって、刃のケース２０を持ってシャンクケース１０を回転させると、前記ガイド孔１３を介してシャンクケース１０が回転され、前記ガイド孔１３がストッパー３１にかけて開き及び閉め位置が決定され、前記ガイド孔に対する前記ストッパーの位置によって前記分離状態と前記固定状態とを切り換え可能とする。そして、前記各ストッパー３１の下端には、係止突起３１ａが備えられて前記ガイド孔１３を貫通して前記シャンクケース１０の上端面にかかった状態で、前記スリーブ３０が前記延長管１１から抜けず、元の位置で回転されるようにしてくれる。
【００１８】
前記スリーブ３０の外周面には、前記刃のケース２０の内周面の四方の角が緩めに被せるように四方に角部３２が突出して備えられ、前記スリーブ３０の内周面には、各角部３２と対応する位置に前記延長管１１に向けて突出する内側凸部３０ａが備えられ、これらの内側凸部３０ａとの間には延長管１１から遠ざかる方に複数の内側凹部３０ｂが放射状で形成される。そして、前記延長管１１の外周面には、前記各内側凸部３０ａ及び内側凹部３０ｂに前記シャンクケース１０の回転を介して選択的に接する複数の凸部１１ａが前記スリーブ３０の内周面に向かって突出される。
【００１９】
前記凸部１１ａと内側凹部３０ｂが互いに重なるととスリーブ３０の角部３２がシャンクケース１０の角と周方向の異なる位置に置かれ、これらの延長管１１とスリーブ３０は、外力を受けない。この状態で、シャンク４１をシャンクケース１０に入れ、刃のケース２０を刃４２に被せて下端がスリーブ３０に差し込まれるようにした後、シャンクケース１０を正回転させると、前記角部３２と前記シャンクケース１０の角が一致される。この時、前記延長管１１の凸部１１ａがスリーブ３０の内側凹部３０ｂから離れ、前記内側凸部３０ａと接するようになる。この過程で、前記スリーブ３０の内周面は、外向きに力を受けて角部３２が刃のケース２０の角と弾性的に密着され、また、これと同時に、前記延長管１１も作用反作用によって内向きに力を受けながら内周面に放射状で形成された複数の突起１２がシャンク４１の外周面に弾性的に密着される。
【００２０】
前記において、前記シャンク４１が延長管１１を介してシャンクケース１０に固定され、前記刃のケース２０が前記スリーブ３０を介してシャンクケース１０に固定された状態において、前記刃のケース２０を持ってシャンクケース１０を逆回転させると、前記角部３２と前記シャンクケース１０の角が周方向の異なる位置に置かれ、前記凸部１１ａが前記内側凹部３０ｂに向け、互いに重なりながらスリーブ３０と延長管１１との間に隙間が開くので、スリーブ３０及び延長管１１に外力が発生しない。従って、角部３２は刃のケース２０の内側の角から離れ、シャンク４１は延長管１１の突起１２から離れるようになるので、刃のケース２０がスリーブ３０から簡単に抜けて、シャンク４１もシャンクケース１０から容易に分離される。
【００２１】
前記刃のケース２０を持ってシャンクケース１０を正回転させる過程において、前記ガイド孔１３がストッパー３１に当たってかかる瞬間、凸部１１ａと内側凸部３０ａが一致されて作用反作用の力が最大になり、閉め位置となる。逆にシャンクケース１０を逆回転させる過程において、前記ガイド孔１３がストッパー３１に当たると、凸部１１ａが内側凹部３０ｂに位置され、作用反作用の力が消えて開け位置となる。これらの開け及び閉めは４５度の範囲内で行われる。
【００２２】
このように構成された本発明の実施形態の保管ケースは、刃４２に被せる刃のケース２０とシャンク４１が差し込まれるシャンクケース１０と、が四角柱形で分離構成され、工具の形状に応じて円柱など様々な形で製作することができる。そして、前記シャンクケース１０に設けられたスリーブ３０を介して刃のケース２０がシャンクケース１０に結合される。
【００２３】
刃のケース２０がシャンクケース１０から外れた初期には、角部３２がシャンクケース１０の角から離れ、ずれた状態になる。以後、シャンク４１をシャンクケース１０に入れて刃のケース２０の下端内周面をスリーブ３０に差し込んで角部３２が刃のケース２０の角に緩めに嵌められるようにする。
【００２４】
以後、シャンクケース１０を約４５度正回転させると、ガイド孔１３がストッパー３１にかかるようになり、この時の角部３２がシャンクケース１０の角と一致されると、刃のケース２０とシャンクケース１０の角が一致される。
【００２５】
この過程において、延長管１１の凸部１１ａがスリーブ３０の内側凹部３０ｂから離れて内側凸部３０ａと一致されると、スリーブ３０は外向きに広がり、延長管１１は内向きに狭くなる。従って、スリーブ３０の外周面に形成された角部３２が刃のケース２０の内側の角と弾性的に密着されて刃のケース２０がスリーブ３０に固定され、延長管１１の内側突起１２は、シャンク４１の外周面に弾性的に密着されてシャンク４１がシャンクケース１０に固定される。
【００２６】
前記の刃のケース２０はスリーブ３０を介して固定され、スリーブ３０はストッパー３１と係止突起３１ａを介してシャンクケース１０に固定されるので、結局、刃のケース２０とシャンクケース１０は一つに接続され、これらの内部に切削工具４０が保管される。
【符号の説明】
【００２７】
１０  シャンクケース
１１  延長管
１１ａ、３１ａ  凸部
１２  内側突起
１３  ガイド孔
２０  刃のケース
３０  スリーブ
３０ａ  内側凸部
３０ｂ  内側凹部
３１  ストッパー
３２  角部
４０  切削工具
４１  シャンク
４２  刃
【図１】
0006792081.tif 000002
【図２】
0006792081.tif 000003
【図３】
0006792081.tif 000004
【図４】
0006792081.tif 000005
【図５】
0006792081.tif 000006